(57)【要約】【課題】取得した識別タグの種別に対応する指示を行うことで、操作性を向上させ、ユーザの負担を軽減する医療業務支援システムを提供する。【解決手段】ユーザ（看護師等の医療スタップ）は、医療業務支援端末装置７を用いて識別タグ９を読み取る。医療業務支援端末装置７は、読み取った識別タグ９の種別を識別タグ９の形式（書式、フォーマット、形式、桁数等）から判定し、当該種別に対応する処理を実行する。即ち、種別に対応するメニュー等を表示部に表示させ、ユーザに次の操作を促すことで医療業務支援端末装置７の操作性を向上させ、医療業務の効率化を図る効果がある。【選択図】図１
2007141207.tif 000002
【特許請求の範囲】
【請求項１】
患者に関する各種医療情報を管理するサーバと、医療従事者に属し前記各種医療情報を入力あるいは取得する少なくとも１の端末装置と、がネットワークを介して互いに前記各種医療情報を送受可能に接続される医療業務支援システムであって、
前記端末装置は、
識別情報保持媒体から識別情報を取得する識別情報取得手段を具備し、
前記端末装置または前記サーバの少なくともいずれかは、
前記識別情報の形態を基にして種別を判定する種別判定手段と、
前記種別判定手段が判定した識別情報の種別に対応する医療情報を抽出する医療情報抽出手段と、
前記医療情報抽出手段によって抽出された医療情報を提示する医療情報提示手段と、を具備することを特徴とする医療業務支援システム。
【請求項２】
前記端末装置は、さらに、前記識別情報取得手段によって取得した前記識別情報の種別と提示中の前記医療情報の種別とが一致する場合、前記識別情報と前記医療情報とを照合する照合手段を具備し、前記照合手段によって照合された結果を前記医療情報提示手段に表示することを特徴とする請求項１に記載の医療業務支援システム。
【請求項３】
前記医療情報提示手段は、さらに、前記各種医療情報のうちの次に取得すべき識別情報の種別を提示することを特徴とする請求項１または請求項２の何れか一項に記載の医療業務支援システム。
【請求項４】
前記端末装置または前記サーバの少なくともいずれかは、さらに、
前記識別情報取得手段により取得した前記識別情報に含まれ、処理の形式を示す処理形式情報を取得する処理形式情報取得手段と、
前記処理形式情報取得手段により取得した前記処理形式情報を基にして前記処理の形式を判定する処理形式判定手段と、
前記サーバが管理する医療情報から前記処理形式判定手段が判定した前記処理の形式に対応する処理情報を抽出する処理情報抽出手段と、
前記処理情報抽出手段によって抽出された前記処理情報を提示する処理情報提示手段と、
を具備することを特徴とする請求項１から請求項３までのいずれかに記載の医療業務支援システム。
【発明の詳細な説明】
【技術分野】
【０００１】
本発明は、医療現場で発生する医療情報を扱う医療業務支援システムに関わり、特に医療情報を識別する識別タグを読み取り医療業務の支援を行うシステムに関する。
【背景技術】
【０００２】
従来、例えば看護師が薬剤を患者に注射するオーダ処理を行う場合、看護師は医療業務支援端末装置を操作し、当該オーダに関する指示に従う。看護師は、患者のリストバンド等に付加され患者ＩＤを印字した識別タグを読取り、処置を実施する患者の照合を行う。次に、薬剤に貼り付けられ薬剤ＩＤを印字した識別タグを読取り、指示された薬剤の照合を行う。また、ネームプレート等のユーザＩＤが印字された識別タグを読取り、処置を実施する看護師の照合を行う。
【０００３】
また、患者のリストバンド等に印字された患者ＩＤと、薬剤に貼付または添付する予約表ラベルに印字された患者ＩＤとの両者を読取り、それぞれの患者ＩＤの出所を判断し照合する医療業務支援システムがある（特許文献１参照）。
【０００４】
【特許文献１】特開２００２−１２３６０７号公報
【発明の開示】
【発明が解決しようとする課題】
【０００５】
しかしながら、特許文献１等が示す技術では、医療業務支援端末装置の指示に従って、あらかじめ決められた種類の識別タグを読み取ることしかできなかった。例えば、看護師は医療業務支援端末装置の入力指示に従って順に、患者ＩＤ、薬剤ＩＤ、ユーザＩＤを読み取る必要があり、医療業務支援端末装置が自動的に読み取った識別タグの種類を判別する機能はなかった。
【０００６】
また、医療業務支援端末装置の１つの画面に、患者ＩＤ、薬剤ＩＤ、ユーザＩＤを入力する入力欄の全てが設けられていたとしても、従来技術では、看護師は目的の入力欄を選択した後、目的とする認識タグを読み取る必要があった。
【０００７】
このように、ユーザ（看護師等）は決められた順番、決められた手順で認識タグを読み取る必要があり、自由な順番で認識タグを読み取ることができず、少なからずユーザの負担・ストレスになっていた。
【０００８】
また、従来の医療業務支援端末装置では、実施する医療業務を確認する作業において識別タグを読み取る操作を行うのが一般的であり、まず最初に識別タグを読取りそれぞれの識別タグに対応した画面を表示させるものはなかった。
【０００９】
また、医療業務を指示する伝票に関する識別タグを読み取り、当該識別タグの内容に従ってユーザに医療業務の推進を提示する機能を有する医療業務支援端末装置はなかった。
【００１０】
本発明は、このような問題を鑑みてなされたもので、その目的とするところは、取得した識別タグの種別に対応する指示を行うことで、操作性を向上させ、ユーザの負担を軽減する医療業務支援システムを提供することである。
【課題を解決するための手段】
【００１１】
前述した目的を達成するための本発明は、患者に関する各種医療情報を管理するサーバと、医療従事者に属し前記各種医療情報を入力あるいは取得する少なくとも１の端末装置と、がネットワークを介して互いに前記各種医療情報を送受可能に接続される医療業務支援システムであって、前記端末装置は、識別情報保持媒体から識別情報を取得する識別情報取得手段を具備し、前記端末装置または前記サーバの少なくともいずれかは、前記識別情報の形態を基にして種別を判定する種別判定手段と、前記種別判定手段が判定した識別情報の種別に対応する医療情報を抽出する医療情報抽出手段と、前記医療情報抽出手段によって抽出された医療情報を提示する医療情報提示手段と、を具備することを特徴とする医療業務支援システムである。
【００１２】
各種医療情報とは、院内ネットワークに接続する電子カルテシステム、看護支援システム、医事会計システム、ＨＩＳ（Ｈｏｓｐｉｔａｌ  Ｉｎｆｏｒｍａｔｉｏｎ  Ｓｙｓｔｅｍ  ｆｏｒ  Ｐａｔｉｅｎｔｓ：病院情報システム）、ＲＩＳ（Ｒａｄｉｏｌｏｇｙ  Ｉｎｆｏｒｍａｔｉｏｎ  Ｓｙｓｔｅｍ：放射線情報システム）等で扱う患者名、患者ＩＤ、生年月日、性別等の患者情報、バイタルサイン、看護記録等の看護情報、処置・薬品などのオーダ情報、診療録や看護記録、医療画像等の医療現場で発生する医療情報等である。
【００１３】
サーバは、上記各システムのサーバや、当該サーバを統括管理する管理サーバである。
医療従事者とは、医療現場における、医師、看護師、薬剤師などの医療スタッフである。
端末装置とは、携帯電話、ＰＨＳ（Ｐｅｒｓｏｎａｌ  Ｈａｎｄｙｐｈｏｎｅ  Ｓｙｓｔｅｍ）、ＰＤＡ（Ｐｅｒｓｏｎａｌ  Ｄｉｇｉｔａｌ  Ａｓｓｉｓｔａｎｃｅ：携帯情報端末）等の情報通信機器、及びパーソナルコンピュータやワークステーション等であり、文字データや画像データにより、診療録や看護記録、医療画像等の医療現場で発生する医療情報を提供する。
【００１４】
識別情報保持媒体は、バーコード、非接触識別タグ（ＲＦＩＤ：Ｒａｄｉｏ  Ｆｒｅｑｕｅｎｃｙ  Ｉｄｅｎｔｉｆｉｃａｔｉｏｎ）等であり、オーダ用紙、看護師の名札、患者の名札、薬剤の瓶等に貼付され人・物等を識別管理するための識別情報を保持する。
形態とは、書式、フォーマット、形式、桁数等である。
種別とは、識別情報の種別であり、例えば「オーダ情報」、「薬剤情報」、「患者情報」、「ユーザ情報」である。
医療情報提示手段とは、端末装置の表示部の画面に指示を表示させる手段、端末装置から音声や警告音を発する手段、端末装置の表示部を点滅表示させる手段、バイブレーション手段などのうち、少なくとも１の手段である。
【００１５】
本発明による医療業務支援システムは、医療従事者に属する端末装置が、識別情報保持媒体から識別情報を読み取り、端末装置またはサーバの少なくともいずれかが識別情報の形態を基にして種別を判定して、種別に対応する医療情報を抽出し、医療情報を医療情報提示手段に提示する。
【００１６】
望ましくは、端末装置は、さらに、識別情報読取手段によって読み取られた識別情報の種別と提示中の医療情報の種別とが一致する場合、識別情報と医療情報との照合を行い、照合結果を医療情報提示手段に表示する。
【００１７】
望ましくは、医療情報提示手段は、さらに、各種医療情報のうちの次に読み取るべき識別情報の種別を提示する。
【００１８】
望ましくは、端末装置またはサーバの少なくともいずれかは、さらに、識別情報取得手段により取得した識別情報に含まれ、処理の形式を示す処理形式情報を取得する処理形式情報取得手段と、処理形式情報取得手段により取得した処理形式情報を基にして処理の形式を判定する処理形式判定手段と、サーバが管理する医療情報から処理形式判定手段が判定した処理の形式に対応する処理情報を抽出する処理情報抽出手段と、処理情報抽出手段によって抽出された処理情報を提示する処理情報提示手段とを具備する。
【００１９】
処理の形式とは、各種医療処理内容である。各種医療処理内容とは例えば、「薬剤取分」、「薬剤混注」、「患者与薬」、「放射線検査」等の医療業務内容である。
処理形式情報とは、上記各種医療処理を判別するコードである。コードは例えば医療処理内容を提示する伝票を識別する伝票コードである。
処理情報とは、上記各種医療処理に関する様々な情報である。処理情報とは、例えば処理内容や医療処理進捗状況などの情報を含む。
【００２０】
本発明による医療業務支援システムは、識別情報保持媒体から識別情報を読み取り、当該識別情報の種別を判定し種別に対応する医療情報を提供するので、操作が直感的で分かりやすいＵＩ（Ｕｓｅｒ  Ｉｎｔｅｒｆａｃｅ）を提供でき、ユーザの操作性を向上させミスのない効率的な医療行為を実現することができる。また、識別情報に含まれる処理形式情報を読取り、当該処理形式情報に従って各種医療処理をユーザに提示するので、ユーザはミスのない効率的な医療行為を行うことができる。
【発明の効果】
【００２１】
本発明によれば、取得した識別タグの種別に対応する指示を行うことで、操作性を向上させ、ユーザの負担を軽減する医療業務支援システムを提供することができる。
【発明を実施するための最良の形態】
【００２２】
以下に、図面に基づいて本発明の実施の形態を詳細に説明する。図１は、第１の実施の形態に係る医療業務支援システム１の構成を示す図である。
【００２３】
（１．第１の実施の形態）
（１−１．医療業務支援システム１の構成）
医療業務支援システム１は、看護師等のユーザに属する少なくとも１の医療業務支援端末装置７と、医療業務支援サーバ５とが、ネットワーク３で接続されて構成される。尚、ここでは図示していないが、ネットワーク３は電子カルテシステム、ＨＩＳ、ＲＩＳ等の各種医療情報と送受信可能に接続されていても良い。
【００２４】
患者識別タグ９−１は患者の名札等に、薬剤識別タグ９−２は薬剤の瓶等に、ユーザ識別タグ９−３は看護師等医療スタッフのユーザの名札等に、オーダ識別タグ９−４はオーダ用紙等に、それぞれ貼付されるバーコードや非接触型ＩＣタグである。医療業務支援端末装置７は、上記患者識別タグ９−１、薬剤識別タグ９−２、ユーザ識別タグ９−３、オーダ識別タグ９−４等を読取り、それぞれに対応する処理を行う。
【００２５】
ネットワーク３は、病院内の院内ＬＡＮネットワークを想定しているが、院内ネットワークのほか、セキュリティの確立されたインターネット等であっても良い。また、携帯電話システム等の公衆通信網や、無線ＬＡＮシステム等の無線通信網、専用回線等の有線による通信網を組み合わせたものであっても良い。
【００２６】
また、医療業務支援端末装置７を操作するユーザとは、病院内で医療業務を行う医療スタッフであり、看護師、薬剤師、医師等を想定する。医療スタッフ(ユーザ)は、医療業務支援端末装置７を操作しつつ医療行為等を進行させる。
【００２７】
（１−２．医療業務支援サーバ５の構成）
次に医療業務支援サーバ５の構成について、図２及び図４を用いて説明する。図２は医療業務支援サーバ５のハードウェア構成について示す図である。図４は医療業務支援サーバ５の本実施の形態に係る処理手段（ソフトウェア）構成について示す図である。
【００２８】
医療業務支援サーバ５は、医療施設に設置されるコンピュータやワークステーションであり、図２に示すハードウェア構成から成る。即ち、医療業務支援サーバ５は、ＣＰＵ（Ｃｅｎｔｒａｌ  Ｐｒｏｃｅｓｓｉｎｇ  Ｕｎｉｔ：中央処理装置）等の制御部１１と、フレキシブルディスクやＣＤ−ＲＯＭ等のメディアの読み込み書き込みを行うメディア入出力部１３と、ネットワークに接続するモデムやＬＡＮボード等の通信部１５と、キーボード、マウス又はマイク等の入力部１７と、プリンタ等の印刷部１９と、ＣＲＴや液晶表示装置等の表示部２１と、ＲＡＭ（Ｒａｎｄｏｍ  Ａｃｃｅｓｓ  Ｍｅｍｏｒｙ）、ＲＯＭ（Ｒｅａｄ  Ｏｎｌｙ  Ｍｅｍｏｒｙ）、ＨＤＤ（Ｈａｒｄ  Ｄｉｓｃ  Ｄｒｉｖｅ）等の記憶部２３と、外部記憶装置としての医療情報データベース２５とから構成され、それぞれがシステムバス２７で接続されている。尚、医療情報データベース２５の詳細については図６乃至図１０にて後述する。
【００２９】
医療業務支援サーバ５の制御部１１は、本実施の形態の医療業務支援システム１を実行するプログラムを前述の記憶部２３のＲＯＭ又はＨＤＤから、ＲＡＭにロードして、図４に示す処理等を実行する。即ち、医療業務支援サーバ５の本実施の形態に係る処理手段として、ユーザ認証手段４９、時間取得手段５１等がある（図４参照）。
【００３０】
ユーザ認証手段４９とは、医療業務支援端末装置７から送信されてくるユーザＩＤやパスワード等を、医療情報データベース２５に格納されているユーザ認証情報（図示しない）と照合する手段であり、医療業務支援サーバ５の制御部１１は、照合結果を医療情報支援端末装置７に送信する。
【００３１】
時間取得手段５１とは、例えば患者に対し所定の医療行為を施した場合、当該医療行為の進行状況を時間情報と共に格納する際に正確な時刻を付加する。また、医療行為終了時間などを監視し、医療業務支援サーバ５の制御部１１は、所定の時間になると所定の医療業務支援端末装置７に警告等を提示する。
【００３２】
（１−３．医療業務支援端末装置７の構成）
次に、医療業務支援端末装置７の構成について図３及び図５を用いて説明する。図３は医療業務支援端末装置７のハードウェア構成について示す図である。図５は医療業務支援端末装置７の本実施の形態に係る処理手段（ソフトウェア）構成について示す図である。
【００３３】
医療業務支援端末装置７は、携帯電話、ＰＨＳ、ＰＤＡ等の情報通信機器等であり、医療スタッフであるユーザが各自保有することが望ましい。又は医療業務支援端末装置７はパーソナルコンピュータやワークステーション等であり、医療スタッフであるユーザが例えばユーザＩＤやパスワード等を入力しユーザ認証を行った上で共同で使用するようにしても良い。医療業務支援端末装置７は、各種識別タグ（患者識別タグ９−１、薬剤識別タグ９−２、ユーザ識別タグ９−３、オーダ識別タグ９−４等）を読取り、当該識別タグの種別に応じた医療情報を抽出して提示する。
【００３４】
図３に示すように、医療業務支援端末装置７は、制御部２９、メディア入出力部３１、通信部３３、識別タグ読取部３５、通知部３７、入力部３９、印刷部４１、表示部４３、記憶部４５とから構成され、それぞれがシステムバス４７で接続されている。尚、識別タグ読取部３５は、バーコードや非接触タグを読み取る
手段である。通知部３７は、医療業務支援サーバ５や他の装置からの通知や警告の受信を通知するＬＥＤ等の表示手段、音声・警告音を発する手段、点滅表示手段、バイブレーション手段等のうちの少なくとも１である。また、入力部３９は、タッチパネル、ボタン、スイッチ、スクロールキー等であっても良い。
【００３５】
医療業務支援端末装置７の制御部２９は、本実施の形態の医療業務支援システム１を実行するプログラムを記憶部４５のＲＯＭ又はＨＤＤから、ＲＡＭにロードして、図５に示す処理等を実行する。即ち、医療業務支援端末装置７の本実施の形態に係る処理手段には、識別タグ読取手段５３、識別タグ種別判定手段５５等がある（図５参照）。
【００３６】
識別タグ読取手段５３とは、識別タグ読取部３５に識別タグ９を読み取らせ、元の数字及び記号等の符号列に変換する手段である（デコード処理）。識別タグ種別判定手段５５は、読み取った識別タグ９の情報を、識別タグ９の種別ごとの形態（書式、フォーマット、形式、桁数）等に当てはめて、識別タグ９の種別を判定する手段である。
【００３７】
（１−４．医療業務支援サーバ５の医療情報データベース２５の構成）
次に、図６乃至図１０により、医療情報データベース２５の内容について説明する。図６は、医療情報データベース２５に格納される情報を示す。図７乃至図１０は、医療情報データベース２５に格納される情報それぞれの詳細について示す。
【００３８】
医療情報データベース２５は、患者情報５７、薬剤情報５９、ユーザ情報６１、オーダ情報６３等を格納する（図６参照）。尚、医療情報データベース２５は、その他の医療情報、業務状況情報、操作履歴、操作支援情報等を格納するようにしても良い。
【００３９】
図７は患者情報５７を示す。患者情報５７には、患者を識別するための患者ＩＤ６５、患者名６７、患者個人情報６９（例えば、住所、生年月日、電話番号、メールアドレス、職業等）、当該患者に対して行われるオーダ７１（注射オーダ、点滴、各種検査、診察等）、温度板７３（血圧や体温のデータ）、看護記録７５等が格納される。尚、オーダ７１の内容は、後述するオーダ情報６３のオーダＩＤ９５に対応付けられる。またオーダ７１は、複数のオーダＩＤ９５に対応付けられても良い。
【００４０】
図８は薬剤情報５９を示す。薬剤情報５９には、薬剤を識別するための薬剤ＩＤ７７、薬剤名７９、取り扱い説明８１、当該薬剤を投与した患者情報８３等が格納される。
【００４１】
図９はユーザ情報６１を示す。ユーザ情報６１には、ユーザである医療スタッフ（看護師、医師、薬剤師等の医療関係者）を識別するためのユーザＩＤ８５、ユーザ名８７、ユーザの個人情報８９（例えば住所、生年月日、電話番号、メールアドレス等）、当該ユーザの受け持ち患者情報９１、勤務表９３等が格納される。
【００４２】
図１０はオーダ情報６３を示す。オーダ情報６３には、注射オーダ、点滴、各種検査、診察等のオーダを識別するためのオーダＩＤ９５、オーダ名９７、当該オーダに関する詳細情報９９等が格納される。
【００４３】
（２．第１の実施の形態の処理手順）
次に、図１１、図１２により、第１の実施の形態による医療業務支援システム１の処理フローチャートを説明する。尚、図１３乃至図１７は、医療業務支援端末装置７の表示画面の例を示し、フローチャートとともに説明する。
図１３は、患者識別タグ９−１の患者ＩＤ６５確認済の表示画面を示す。
図１４は、患者識別タグ９−１の患者ＩＤ６５が確認できない場合の表示画面を示す。
図１５は、薬剤認識タグ９−２の薬剤ＩＤ７７確認済の表示画面を示す。
図１６は、ユーザ認識タグ９−３のユーザＩＤ８５確認済の表示画面を示す。
図１７は、オーダ認識タグ９−４のオーダＩＤ９５確認済の表示画面を示す。
【００４４】
ユーザ(看護師等の医療スタッフ)は、本実施の形態による医療業務支援システム１を利用する際、まず医療業務支援端末装置７から医療業務支援サーバ５に接続してユーザ認証を受ける（図示しない）。
【００４５】
ユーザが医療業務支援端末装置７を用いて識別タグ９を読み取る。即ち、識別タグ読取部３５は、患者識別タグ９−１、薬剤識別タグ９−２、ユーザ識別タグ９−３、オーダ識別タグ９−４のいずれかを読み取る（ステップ１００１）。
【００４６】
医療業務支援端末装置７の制御部２９の識別タグ読取手段５３（図５参照）は、識別タグ読取部３５においてデコード処理を行って識別タグ９の情報を得る。次に、識別タグ種別判定手段５５（図５参照）は、デコードされた識別タグ９の情報を、識別タグ９の種別ごとの形態（書式、フォーマット、形式、桁数）等に当てはめて、識別タグ９の種別を判定する（ステップ１００２）。
【００４７】
例えば、識別タグ種別判定手段５５は、識別タグ９が患者識別タグ９−１ならば「数字１０桁固定」、薬剤識別タグ９−２ならば「数字１６桁固定」、ユーザ識別タグ９−３ならば「英数字１２桁固定」、オーダ識別タグ９−４ならば「英数字１６桁固定」というように予め設定した識別タグ９の書式と、読み取った値とを比較して識別タグ９の種別を判定する。尚、識別タグ種別判定手段５５は、識別タグ９の種別判定のための対応テーブルを備え、当該対応テーブルを参照することによって、識別タグ９の種別を判定するようにしても良い。
【００４８】
制御部２９は、識別タグ読取手段５３が読み取った情報を「識別情報」として、識別タグ種別判定手段５５が判定した識別タグ９の種別を「識別タグ種別情報」として、記憶部４５に格納する（ステップ１００３）。
【００４９】
次に制御部２９は、識別情報と、識別タグ種別情報と、医療業務支援端末装置７を識別する装置識別情報とを、通信部３３を介して医療業務支援サーバ５に送信する（ステップ１００４）。尚、医療業務支援端末装置７を識別する装置識別情報は、当該医療業務支援端末装置７ごとに付与される識別情報であり記憶部４５などに予め格納されている。
【００５０】
医療業務支援サーバ５の通信部１５は、医療業務支援端末装置７から送られる識別情報、識別タグ種別情報、装置種別情報を受信する（ステップ１００５）。
【００５１】
識別タグ種別情報が「患者」の場合（ステップ１００６のＹＥＳ）、（１）に進む。医療業務支援サーバ５の制御部１１は、医療情報データベース２５に格納してある患者情報５７（図７参照）から、識別情報と一致する患者ＩＤ６５を検索し、検索結果を作成する（ステップ１０１１）。即ち、患者ＩＤ６５に該当するレコードの患者名６７、患者個人情報６９、オーダ７１・・等を抽出する。
【００５２】
次に、制御部１１は、「患者」に関する機能への呼び出しボタンを含むメニューを作成する（ステップ１０１２）。制御部１１は、通信部１５を介して、検索結果とメニューを、装置識別情報で特定される医療業務支援端末装置７に送信する（ステップ１０１９）。
【００５３】
医療業務支援端末装置７の通信部３３は、医療業務支援サーバ５から検索結果とメニューを受信し、記憶部４５に格納する（ステップ１０２０）。次に医療業務支援端末装置７の制御部２９は、検索結果とメニューを表示部４３に表示させる（ステップ１０２１）。即ち、識別タグ種別情報が「患者」の場合、医療業務支援端末装置７は図１３に示す画面を表示する。
【００５４】
尚、図１３は、医療業務支援端末装置７を示し、表示部４３の他のハードウェア構成としては、ユーザが識別タグ９の読み取り操作を行うスキャンボタン１０１（識別タグ読取部３５としては、例えば装置の裏面にＣＣＤ等が配置されており、図１３には図示していない。）、点灯・点滅で警告や通知を行うＬＥＤ１０５、データの送受信に用いるアンテナ１０３、十字キー１０７等の入力キー等を有する。
【００５５】
図１３は、患者識別タグ９−１の患者ＩＤ６５が確認された場合の表示画面を示す。検索結果である患者名６７と、メニュー（患者情報６９、オーダ７１、温度板７３、看護記録７５）とが画面に表示される。「閉じる」ボタン１０９は、画面表示を終了、又は前画面表示に戻す場合に押下する。
【００５６】
ユーザは、表示されるメニュー（患者情報６９、オーダ７１、温度板７３、看護記録７５）の中から、項目を選択し更にメニューの詳細を表示させる。
尚、ステップ１０１１において、識別情報と一致する患者ＩＤ６５が患者情報５７に登録されていない場合には、医療業務支援端末装置７は図１４に示す画面を表示させる。
【００５７】
ステップ１００６に戻り、識別タグ種別情報が「患者」ではない場合（ステップ１００６のＮＯ）、ステップ１００７に進む。
【００５８】
識別タグ種別情報が「薬剤」の場合（ステップ１００７のＹＥＳ）、（２）に進む。医療業務支援サーバ５の制御部１１は、医療情報データベース２５に格納してある薬剤情報５９（図８参照）から、識別情報と一致する薬剤ＩＤ７７を検索し、検索結果を作成する（ステップ１０１３）。即ち、薬剤ＩＤ７７に該当するレコードの薬剤名７９、取り扱い説明８１、投与患者情報８３等を抽出する。
【００５９】
次に、制御部１１は、「薬剤」に関する機能への呼び出しボタンを含むメニューを作成する（ステップ１０１４）。次からのステップ１０１９乃至ステップ１０２１は前述と同じである。識別タグ種別情報が「薬剤」の場合、医療業務支援端末装置７は図１５に示す画面を表示する。
【００６０】
図１５は、薬剤識別タグ９−２の薬剤ＩＤ７７が確認された場合の表示画面を示す。検索結果である薬剤名７９と、メニュー（取り扱い説明８１、同薬剤投与患者情報一覧８３）とが画面に表示される。ユーザは、表示されるメニュー（取り扱い説明８１、同薬剤投与患者情報一覧８３）の中から、項目を選択し更にメニューの詳細を表示させる。
【００６１】
ステップ１００７に戻り、識別タグ種別情報が「薬剤」ではない場合（ステップ１００７のＮＯ）、ステップ１００８に進む。
【００６２】
識別タグ種別情報が「ユーザ」の場合（ステップ１００８のＹＥＳ）、（３）に進む。医療業務支援サーバ５の制御部１１は、医療情報データベース２５に格納してあるユーザ情報６１（図９参照）から、識別情報と一致するユーザＩＤ８５を検索し、検索結果を作成する（ステップ１０１５）。即ち、ユーザＩＤ８５に該当するレコードのユーザ名８５、ユーザ個人情報８９、受け持ち患者情報９１、勤務表９３等を抽出する。
【００６３】
次に、制御部１１は、「ユーザ」に関する機能への呼び出しボタンを含むメニューを作成する（ステップ１０１６）。次からのステップ１０１９乃至ステップ１０２１は前述と同じである。識別タグ種別情報が「ユーザ」の場合、医療業務支援端末装置７は図１６に示す画面を表示する。
【００６４】
図１６は、ユーザ識別タグ９−３のユーザＩＤ８５が確認された場合の表示画面を示す。検索結果であるユーザ名８７と、メニュー（ユーザ個人情報８９、受け持ち患者情報９１、勤務表９３）とが画面に表示される。ユーザは、表示されるメニュー（ユーザ個人情報８９、受け持ち患者情報９１、勤務表９３）の中から、項目を選択し更にメニューの詳細を表示させる。
【００６５】
ステップ１００８に戻り、識別タグ種別情報が「ユーザ」ではない場合（ステップ１００８のＮＯ）、ステップ１００９に進む。
【００６６】
識別タグ種別情報が「オーダ」の場合（ステップ１００９のＹＥＳ）、（４）に進む。医療業務支援サーバ５の制御部１１は、医療情報データベース２５に格納してあるオーダ情報６３（図１０参照）から、識別情報と一致するオーダＩＤ９５を検索し、検索結果を作成する（ステップ１０１７）。即ち、オーダＩＤ９５に該当するレコードのオーダ名９７、オーダ詳細情報９９等を抽出する。
【００６７】
次に、制御部１１は、「オーダ」に関する機能への呼び出しボタンを含むメニューを作成する（ステップ１０１８）。次からのステップ１０１９乃至ステップ１０２１は前述と同じである。識別タグ種別情報が「オーダ」の場合、医療業務支援端末装置７は図１７に示す画面を表示する。
【００６８】
図１７は、オーダ識別タグ９−４のオーダＩＤ９５が確認された場合の表示画面を示す。検索結果であるオーダ名９７と、メニュー（オーダ詳細情報９９）とが画面に表示される。ユーザは、表示されるメニュー（オーダ詳細情報９９）を選択すると更に詳細を表示させることができる。
【００６９】
ステップ１００９に戻り、識別タグ種別情報が「オーダ」ではない場合（ステップ１００９のＮＯ）、ステップ１０１０に進む。
【００７０】
医療業務支援端末装置７から送られる識別タグ種別情報が、「患者」、「薬剤」、「ユーザ」、「オーダ」の何れでもない場合は、制御部１１は検索結果「検索ＮＧ」を作成し（ステップ１０１０）、（５）に進む。次からのステップ１０１９乃至ステップ１０２１は前述と同じである。画面は図示していないが、医療業務支援端末装置７は、「検索ＮＧ」の画面を表示する。
【００７１】
以上、フローチャートで説明したように、ユーザが医療業務支援端末装置７を用いて、「患者」、「薬剤」、「ユーザ」、「オーダ」の何れかの識別タグ９を読み取ると、医療業務支援端末装置７は識別タグ９の種別を基に、それぞれの目的に適したメニューを表示部４３に表示する。従って、ユーザにとって直感的で判り易いＵＩ（User  Interface）を提供することができる。また、医療業務支援システム１の、医療業務支援端末装置７の操作性を向上させ、ユーザに効率的な医療業務を実行させる効果がある。
【００７２】
（３．第１の実施の形態のその他の表示例）
次に、医療業務端末装置７のその他の表示、及び操作について図１８乃至図２１により説明する。
図１８は、オーダの表示画面を示す。
図１９は、オーダ識別タグ９−４の照合確認画面を示す。
図２０は、オーダ識別タグ９−４の照合ＮＧ画面を示す。
図２１は、ユーザ識別タグ９−３の照合確認画面を示す。
【００７３】
図１８は、オーダ表示１１１の表示画面を示す。例えば、ユーザが患者名「日立  松」さんの患者識別タグ９−１を読取ると、医療業務端末装置７は患者ＩＤ６５確認済の画面を表示する（図１３参照）。ユーザが、次に図１３の画面のメニューである「オーダ」７１を選択すると、図１８に示すオーダ表示１１１が得られる。
【００７４】
オーダ表示１１１には、オーダの種別、予定日時、薬品の種類等が表示される。ユーザが図１８の表示画面の「照合」ボタン１１３を選択し、スキャンボタン１０１を押下してオーダ用紙等に貼付されているオーダ識別タグ９−４を読み取らせると、図１９に示すオーダ識別タグ９−４の照合確認画面が展開する。
【００７５】
尚、図１８において項目「種別」の右端にあるマーク「△」をクリックすると、表示されている詳細な情報が非表示になる。また、「▽」をクリックすると詳細な情報が表示される。
【００７６】
図１９は、例えば「連絡」ボタン１１５が点灯又は点滅し、オーダ識別タグ照合ＯＫ画面がポップアップ表示される。即ち図１８で表示されるオーダの内容と、オーダ用紙に貼付されているオーダ識別タグ９−４との照合が確認されたことを示す。
【００７７】
図２０は、図１８のオーダ表示１１１に該当するオーダ識別タグ９−４の照合が失敗したことを示す表示画面である。図１９と同様、「連絡」ボタン１１５が点灯又は点滅し、オーダ識別タグ照合ＮＧ画面がポップアップ表示される。ユーザは、「ＯＫ」ボタン１１９を押して再度オーダを確認し、識別タグを読み取る。また、ユーザが「閉じる」ボタン１０９を押すと、オーダ確認の終了、或いは前画面表示に戻る。
【００７８】
オーダに貼付されたオーダ識別タグ９−４の照合が確認され（図１９参照）、ユーザがオーダの実施を行う場合は、「ユーザ登録」ボタン１１７を選択し、スキャンボタン１０１を押下してユーザの名札等に貼付されているユーザ識別タグ９−３を読み取らせると、図２１に示すユーザ識別タグ９−３の照合確認画面が展開する。
【００７９】
図２１は、例えば「連絡」ボタン１１５が点灯又は点滅し、ユーザ識別タグ照合ＯＫ画面がポップアップ表示される。即ち図１９で表示されるオーダを実施するユーザのユーザ識別タグ９−３が照合されたことを示す。
【００８０】
ユーザは、図２１の表示画面の「実施」ボタン１２１を選択し、引き続きオーダの処理を実施する。
【００８１】
以上説明したように、ユーザは、医療業務端末装置７を操作して患者識別タグ９−１を読取り、メニューを表示させ、次にメニューから例えば「オーダ」７１を選択する（図１３参照）。次に、医療業務端末装置７の表示部４３は、オーダ表示１１１を行う（図１８参照）。
【００８２】
ユーザは、図１８の画面表示に従い、「照合」ボタン１１３を選択して、オーダ用紙に貼付されたオーダ識別タグ９−４の照合を行い、図１９の「照合ＯＫ」の表示を得る。更にユーザは、図１９の画面表示に従い、「ユーザ登録」ボタン１１７を選択して、ユーザの名札等に貼付されたユーザ識別タグ９−３の照合を行い図２１の「照合ＯＫ」の表示を得る。更にユーザは図２１の画面表示に従い、「実施」ボタンを選択して、医療処置の実施を行う。
【００８３】
このように、ユーザは医療業務端末装置７の表示に従って順次識別タグ９を読み取るボタンを押下する操作を行うことで、患者への医療業務を遂行することができる。即ち、医療業務端末装置７の操作性を向上させ、操作ミス等を低減することができる。
【００８４】
また、例えば患者識別タグ９−１、薬剤識別タグ９−２を続けて読み取った場合、該当するオーダのオーダ詳細情報機能の呼び出しを促すメッセージを表示させる等、識別タグ９の組み合わせで表示する画面を変えるようにしても良い。
【００８５】
尚、第１の実施の形態では、医療業務支援端末装置７が、識別タグ９の種別を判定するものとして説明したが、医療業務支援サーバ５が識別タグ９の種別を判定する構成としても良い。この場合、識別タグ判定手段５５（図５参照）は、図４に示す医療業務支援サーバ５に備えられる。
【００８６】
また、第１の実施の形態では、医療業務支援端末装置７と医療業務支援サーバ５のサーバ・クライアント型の構成を持つ医療業務支援システム１について説明したが、医療業務支援端末装置７が全ての機能を有するスタンドアロン構成としても良い。
【００８７】
このように、第１の実施の形態では、ユーザが読み取る識別タグ９の種別（患者識別タグ９−１、薬剤識別タグ９−２、ユーザ識別タグ９−３、オーダ識別タグ９−４等のいずれか）を基にして、それぞれの種別の目的に適したメニューを医療業務支援端末装置７に表示させるので、ユーザにとっては操作が判り易く直感的に医療業務支援端末装置７を操作することができる。
【００８８】
（４．第２の実施の形態）
次に、図２２乃至図３６により、第２の実施の形態に係る医療業務支援システム１ａについて説明する。
【００８９】
（４−１．医療業務支援システム１ａの構成）
図２２は、第２の実施の形態に係る医療業務支援システム１ａの構成を示す図である。
医療業務支援システム１ａは、図１に示す医療業務支援システム１とほぼ同じ構成を有する。前述の医療業務支援システム１の構成に関する図１乃至図１０に加えて、第２の実施の形態の医療業務支援システム１ａに関する構成について説明する。尚、医療業務支援端末装置７（図３参照）は同じ構成を有するので説明は省略する。
【００９０】
医療業務支援システム１ａ（図２２参照）は、患者識別タグ９−１、薬剤識別タグ９−２、ユーザ識別タグ９−３、オーダ識別タグ９−４に加えて、トレイ識別タグ９−５を読み取り処理する機能を有する。トレイ識別タグ９−５は、薬剤格納トレイ２０１に貼付されるバーコードや非接触型ＩＣタグである。薬剤格納トレイ２０１については後述する。
【００９１】
（４−２．医療業務支援サーバ５の医療情報データベース２５ａの構成）
図２３は、医療情報データベース２５ａの構成図である。
医療業務支援システム１ａの医療業務支援サーバ５は、図２に示すハードウェア構成を示す。ただし、医療業務支援システム１ａは、医療業務支援システム１の医療情報データベース２５（図２、図６参照）に伝票コード情報２０５を加えた医療情報データベース２５ａを備える。
【００９２】
図２４は、医療情報データベース２５ａに格納される伝票コード情報２０５の内容を示す図である。伝票コード情報２０５は、伝票名称２０９と処理名２１１に、対応する伝票コード２０７が付与されたものである。例えば伝票コード「０１」のレコードでは、伝票名称２０９が「処置指示伝票」であり、処置名２１１が「薬剤取分確認処理」である。
【００９３】
（４−３．薬剤格納トレイ２０１の構成）
図２５は、医療情報端末装置７と薬剤格納トレイ２０１を示す図である。薬剤格納トレイ２０１には、トレイ識別タグ２０３（図２２のトレイ識別タグ９−５に相当）が貼付され内部に紙伝票２０２が格納される。当該紙伝票２０２には処置内容等が記載され、薬剤格納トレイ２０１に貼付されたものと同じ内容のトレイ識別タグ２０３が貼付される。尚、薬剤格納トレイ２０１には、複数の紙伝票２０２を格納しても良い。この場合、薬剤格納トレイ２０１に貼付されるトレイ識別タグ２０３には、複数の紙伝票２０２の医療処理に関する内容が、処理順序も含めて格納されている。
【００９４】
医療業務支援端末装置７は、薬剤格納トレイ２０１に貼付されたトレイ識別タグ２０３を読取り、当該トレイ識別タグ２０３の情報に従って医療処理情報を医療業務支援端末装置７に提示する。
【００９５】
図２６は、薬剤格納トレイ２０１に貼付されるトレイ識別タグ２０３の内容を示す図である。トレイ識別タグ２０３は、患者ＩＤ６５と伝票コード２０７とから成る場合と、オーダＩＤ９５と伝票コード２０７とから成る場合がある。
【００９６】
図２６（ａ）は、患者ＩＤ６５と伝票コード２０７とから成るトレイ識別タグ２０３−１を示す。即ちトレイ識別タグ２０３−１は、例えば患者ＩＤ６５「００００００１０２１」と伝票コード２０７「０１」とから成る。
図２６（ｂ）は、オーダＩＤ９５と伝票コード２０７とから成るトレイ識別タグ２０３−２を示す。即ちトレイ識別タグ２０３−２は、例えばオーダＩＤ９５「０１２３４５６７８９ＡＢＣＤＥＦ」と伝票コード２０７「０１」とから成る。
【００９７】
図２６では、トレイ識別タグ２０３が１つの伝票コード２０７を有する場合を示したが、複数の伝票コード２０７を備えるものとしても良い。例えば、「００００００１０２１（患者ＩＤ６５）−０１−０２−０３」のように、３つの伝票コード２０７を含む場合は、医療業務支援システム１ａは伝票コード２０７に対応する医療処理の実行を順次推進して行くものとする。
【００９８】
（５．第２の実施の形態の処理手順）
次に、医療業務支援システム１ａの処理について説明する。
図２７及び図２８は、医療業務支援システム１ａの処理を示すフローチャートである。
図２９乃至図３６は、医療業務端末装置７の表示画面を示す図である。
【００９９】
ユーザは、医療業務支援システム１ａを利用する際、まず医療業務支援端末装置７から医療業務支援サーバ５に接続してユーザ認証を受ける（図示しない）。
ユーザは、医療業務支援端末装置７を用いて薬剤格納トレイ２０１に貼付されたトレイ識別タグ９−５を読み取る。即ち、医療業務支援端末装置７の識別タグ読取り部３５（図３参照）はトレイ識別タグ９−５を読み取る（ステップ２００１）。
【０１００】
医療業務支援端末装置７の制御部２９の識別タグ読取手段５３（図５参照）は、識別タグ読取部３５においてデコード処理を行ってトレイ識別タグ９−５の情報を得る。次に、識別タグ種別判定手段５５（図５参照）は、デコードされたデータの形態（書式、フォーマット、形式、桁数）から読み取った識別タグをトレイ識別タグ９−５であると判定する（ステップ２００２）。例えば、識別タグ種別判定手段５５は、識別タグが「数字１０桁固定＋「−（ハイフン）」＋数字２桁固定」或いは「英数字１６桁固定＋「−（ハイフン）」＋数字２桁固定」の形式を有する場合にトレイ識別タグ９−５であると判定する。尚、伝票コード２０７が複数ある場合についても、識別タグをトレイ識別タグ９−５であると判定することができる。
【０１０１】
次に、制御部２９はトレイ識別タグ９−５の「−（ハイフン）」の後の「数字２桁固定」を伝票コード２０７であると判定し、当該伝票コード２０７を除く識別タグの値を識別情報とし、当該識別情報の形式から識別タグの種別を判定する（ステップ２００３）。制御部２９は、トレイ識別タグ９−５の当該伝票コード２０７を除く識別タグの値を識別情報、識別タグの種別を識別タグ種別情報として、伝票コード２０７と共に記憶部４５に格納する（ステップ２００４）。例えば識別タグの値である「００００００１０２１」を識別情報、識別情報の形式から判定される種別「患者ＩＤ」を識別タグ種別情報とする。
【０１０２】
次に制御部２９は、識別情報と、識別タグ種別情報と、医療業務支援端末装置７を識別する装置識別情報とを、通信部３３を介して医療業務支援サーバ５に送信する（ステップ２００５）。尚、医療業務支援端末装置７を識別する装置識別情報は、当該医療業務支援端末装置７ごとに付与される識別情報であり記憶部４５などに予め格納されている。
【０１０３】
医療業務支援サーバ５の通信部１５は、医療業務支援端末装置７から送られる識別情報、識別タグ種別情報、伝票コード２０７、装置種別情報を受信する（ステップ２００６）。医療業務支援サーバ５の制御部１１は、受信した伝票コード２０７を、医療情報データベース２５ａ（図２３参照）の伝票コード情報２０５（図２４参照）と照合し、当該伝票コード２０７に該当する伝票名称２０９と処理名２１１とを抽出する。
【０１０４】
識別タグ種別情報が「患者」の場合（ステップ２００７のＹＥＳ）、（６）に進む。医療業務支援サーバ５の制御部１１は、医療情報データベース２５ａに格納してある患者情報５７（図２３参照）から、識別情報と一致する患者ＩＤ６５（図７参照）を検索し、検索結果を作成する（ステップ２０１０）。即ち、患者ＩＤ６５に該当するレコードの患者名６７、患者個人情報６９、オーダ７１等を抽出する。
【０１０５】
制御部１１は、装置識別情報で特定される医療業務支援端末装置７の表示部４３に、患者ＩＤ６５に該当するオーダ７１を表示させる（ステップ２０１１、図２９）。
【０１０６】
図２９は、識別タグ種別情報が「患者」の場合の医療業務支援端末装置７の表示画面を示す。図２９は、伝票コード２０７が「０１」、即ち薬剤取分確認作業（図２４参照）の場合、例えば「連絡」ボタン１１５が点灯又は点滅し、「薬剤取分確認作業」に相当する画面がポップアップ表示され、患者ＩＤ６５と患者名６７、患者ＩＤ６５に該当するオーダ７１が表示される。
【０１０７】
オーダ７１は複数表示される場合があり、ユーザは処理するオーダ７１を選択し、該当するオーダの「次へ」ボタン１２０をクリックし（ステップ２０１２）、ステップ２０１４に進む。ユーザが「閉じる」ボタン１０９を押すと、薬剤取分確認作業の中止、或いは前画面表示に戻る。
【０１０８】
ステップ２００７に戻り、識別タグ種別情報が「患者」ではない場合（ステップ２００７のＮＯ）、ステップ２００８に進む。
【０１０９】
識別タグ識別情報が「オーダ」でない場合（ステップ２００８のＮＯ）、医療業務支援サーバ５の制御部１１は、検索結果（「検索ＮＧ」）を作成して（ステップ２００９）、医療業務支援端末装置７に表示させ（図示しない）処理を終了する。
【０１１０】
識別タグ種別情報が「オーダ」の場合（ステップ２００８のＹＥＳ）、（７）に進む。医療業務支援サーバ５の制御部１１は、医療情報データベース２５ａに格納してあるオーダ情報６３（図２３参照）から、識別情報と一致するオーダＩＤ９５（図１０参照）を検索しオーダＩＤ９５に該当するレコードのオーダ名９７、オーダ詳細情報９９等を抽出して医療業務支援端末装置７の表示部４３に表示させる（ステップ２０１３、図３０）。
【０１１１】
図３０は、識別タグ種別情報が「オーダ」の場合の医療業務支援端末装置７の表示画面を示す。図３０は、伝票コード２０７が「０１」、即ち薬剤取分確認作業（図２４参照）の場合、例えば「連絡」ボタン１１５が点灯又は点滅し、「薬剤取分確認作業」の画面がポップアップ表示され、オーダＩＤ９５とオーダ名９７、当該オーダに関するステータス等が表示される。
ユーザは表示されたオーダ７１を続行する場合は「次へ」ボタン１２０をクリックする。ユーザが「閉じる」ボタン１０９を押すと、薬剤取分確認作業の中止、或いは前画面表示に戻る。
【０１１２】
識別タグ種別情報が「患者」、或いは識別タグ種別情報が「オーダ」のいずれの場合であっても処理するオーダ７１の「次へ」ボタン１２０がクリックされると（ステップ２０１２、又はステップ２０１３）、医療業務支援端末装置７は表示部４３に選択されたオーダ７１に対応するオーダＩＤ９５（図１０参照）の内容を表示する（ステップ２０１４、図３１）。
【０１１３】
図３１は選択されたオーダ７１に関する内容がオーダ表示１１１された画面を示す図である。オーダ表示１１１には、オーダの種別、予定日時、薬品の種類等が表示される。
【０１１４】
ユーザが、スキャンボタン１０１を押下して薬剤等に貼付されている薬剤識別タグ９−２をスキャンすると、医療業務支援端末装置７の制御部２９はオーダ７１のオーダＩＤ９５に該当する薬剤の薬剤識別タグ９−２を読み取る（ステップ２０１５）。
【０１１５】
医療業務支援サーバ５の制御部１１は、医療情報データベース２５ａに格納してある薬剤情報５９（図２３参照）から、読み取った識別タグ（薬剤識別タグ９−２）の薬剤と、オーダ７１で指定された薬剤とを照合する（ステップ２０１６）。
【０１１６】
薬剤の照合が正しければ（ステップ２０１７のＹＥＳ）、医療業務支援サーバ５の制御部１１は、医療業務支援端末装置７の表示部４３に、例えば「連絡」ボタン１１５を点灯又は点滅させて、「照合ＯＫ」の画面（図３２参照）をポップアップ表示させ、ステップ２０１８に進む。ユーザは、照合した薬剤を薬剤格納トレイ２０１に格納する。
【０１１７】
薬剤の照合が誤っている場合（ステップ２０１７のＮＯ）、医療業務支援サーバ５の制御部１１は、医療業務支援端末装置７の表示部４３に、例えば「連絡」ボタン１１５を点灯又は点滅させて、「照合ＮＧ」の画面（図３３参照）をポップアップ表示させ、「再度薬剤を確認して識別タグを読み取ってください」のメッセージを表示させてステップ２０１５に戻る。
【０１１８】
ステップ２０１８に進み、オーダ７１で指定された全ての薬剤の取り分けが終了していないならば（ステップ２０１８のＮＯ）、ステップ２０１５に戻り次の薬剤の取り分けを行う。
【０１１９】
オーダ７１で指定された全ての薬剤の取り分けが終了すると（ステップ２０１８のＹＥＳ）、医療業務支援端末装置７の制御部２９は、例えば「連絡」ボタン１１５を点灯又は点滅させて、「薬剤取分確認作業完了」を表示部４３にポップアップ表示させる（ステップ２０１９、図３４）。
【０１２０】
図３４は、薬剤取分確認作業完了を示す図である。オーダＩＤ９５、オーダ名９７、薬剤名の表示、及び実施者登録への導入メッセージ等が表示される。ユーザは、「ＯＫ」ボタン１１９を押し、続けて実施者の識別タグの読取りを行う。尚、ユーザが「閉じる」１０９ボタンを押すと、実施者登録の中断、或いは前画面表示に戻る。
【０１２１】
ユーザが、図３４の実施者登録への導入メッセージに従い、医療業務支援端末装置７のスキャンボタン１０１を押下してユーザ（薬剤取分確認作業実施者）の名札等に貼付されているユーザ識別タグ９−３をスキャンすると、医療業務支援端末装置７の制御部２９は薬剤取分作業を実施したユーザのユーザ識別タグ９−３を読み取る（ステップ２０２０）。
【０１２２】
医療業務支援サーバ５の制御部１１は、医療情報データベース２５ａ（図２３参照）に格納してあるユーザ情報６１により、読み取った識別タグ（ユーザ識別タグ９−３）の識別情報を照合する（ステップ２０２１）。
【０１２３】
ユーザ識別タグ９−３の照合が正しければ、医療業務支援サーバ５の制御部１１は、医療業務支援端末装置７の表示部４３に、例えば「連絡」ボタン１１５を点灯又は点滅させて、「照合ＯＫ」の画面（図３５参照）をポップアップ表示させ、薬剤取分確認作業の実施者入力作業を完了させ、薬剤取分確認作業を終了する。
【０１２４】
ユーザ識別タグ９−３の照合が誤っていれば、医療業務支援サーバ５の制御部１１は、医療業務支援端末装置７の表示部４３に、例えば「連絡」ボタン１１５を点灯又は点滅させて、「照合ＮＧ」の画面（図３６参照）をポップアップ表示させ、再度識別タグ読取りメッセージを表示させる。
【０１２５】
以上の過程を経て、薬剤格納トレイ２０１には、オーダ７１として指定された薬剤が全て取り分けられ、格納される。また、薬剤取分確認作業を実施したユーザに関する情報が、医療業務支援サーバ５に登録される。上記、オーダ７１に関する処理の進行状況を、図１０に示すオーダ情報６３のオーダ詳細情報９９として随時更新するようにしても良い。
【０１２６】
医療業務端末装置７又は医療業務支援サーバ５に、図１０に示すオーダ情報６３のオーダ詳細情報９９を参照し、医療処理の実施状況、進捗情報を表示することができる。従ってユーザ（看護師等の医療従事者）は医療業務端末装置７又は医療業務支援サーバ５を操作し、医療処理の実施状況、進捗情報を把握することができる。
【０１２７】
ここでは、薬剤格納トレイ２０１に貼付されるトレイ識別タグ２０３に単一の伝票コード２０７が含まれる場合について説明したが、トレイ識別タグ２０３に複数の伝票コード２０７が含まれていても良い。この場合は、伝票コード２０７が処理する順に読み込まれ、順次処理される。
【０１２８】
例えば伝票コード２０７が「０１」「０２」「０３」の順に読み込まれるとすると、医療業務支援サーバ５の制御部１１は、伝票コード２０７を医療情報データベース２５ａ（図２３参照）の伝票コード情報２０５（図２４参照）と照合して、伝票名称２０９と処理名２１１とを抽出する。即ち、制御部１１は伝票コード２０７「０１」に該当する「薬剤取分確認処理」、伝票コード２０７「０２」に該当する「薬剤混注確認処理」、伝票コード２０７「０３」に該当する「患者与薬確認処理」の順に医療業務実行手順を医療業務支援端末装置７に表示する。
【０１２９】
このように、第２の実施の形態では、薬剤格納トレイ２０１に貼付されるトレイ認識タグ２０３を医療業務支援端末装置７で読み取らせることで、ミスのない医療業務を効率的にユーザに行わせることが可能になる。
【０１３０】
また、第２の実施の形態では、医療業務支援端末装置７と医療業務支援サーバ５のサーバ・クライアント型の構成を持つ医療業務支援システム１について説明したが、医療業務支援端末装置７が全ての機能を有するスタンドアロン構成としても良い。
【０１３１】
（６．効果等）
このように、本実施の形態では、ユーザが読み取る識別タグ９の種別を基にして、それぞれの目的に適したメニューを医療業務支援端末装置７に表示させユーザにとっては操作が判り易く直感的に医療業務支援端末装置７を操作することができる。また医療業務支援端末装置７は、取得するトレイ識別タグ９−５の情報に従って、医療業務推進手順を順次ユーザに提示するので、ユーザは提示される医療業務を確実にしかも効率的に進めることができる。
【０１３２】
即ち、医療業務支援端末装置７の操作性を向上させることができ、操作ミスを低減し、医療業務の効率化を図る効果がある。
【０１３３】
尚、本発明の技術的範囲は、前述した実施の形態に限られるものではない。当業者であれば、本願で開示した技術的思想の範疇内において、各種の変更例または修正例に想到し得ることは明らかであり、それらについても当然に本発明の技術的範囲に属するものと了解される。
【図面の簡単な説明】
【０１３４】
【図１】本実施の形態における医療業務支援システム１の構成を示す図
【図２】医療業務支援サーバ５の構成を示す図
【図３】医療業務支援端末装置７の構成を示す図
【図４】医療業務支援サーバ５の機能を示す図
【図５】医療業務支援端末装置７の機能を示す図
【図６】医療情報データベース２５の格納情報を示す図
【図７】患者情報５７を示す図
【図８】薬剤情報５９を示す図
【図９】ユーザ情報６１を示す図
【図１０】オーダ情報６３を示す図
【図１１】医療業務支援システム１の処理フローチャート
【図１２】医療業務支援システム１の処理フローチャート
【図１３】患者識別タグ９−１の患者ＩＤ６５確認済の表示画面
【図１４】患者識別タグ９−１の患者ＩＤ６５が確認できない場合の表示画面
【図１５】薬剤識別タグ９−２の薬剤ＩＤ７７確認済の表示画面
【図１６】ユーザ識別タグ９−３のユーザＩＤ８５確認済の表示画面
【図１７】オーダ識別タグ９−４のオーダＩＤ９５確認済の表示画面
【図１８】オーダの表示画面
【図１９】オーダ識別タグ９−４の照合確認画面
【図２０】オーダ識別タグ９−４の照合ＮＧ画面
【図２１】ユーザ識別タグ９−３の照合確認画面
【図２２】医療業務支援システム１ａの構成を示す図
【図２３】医療情報データベース２５ａの格納情報を示す図
【図２４】伝票コード情報２０５を示す図
【図２５】薬剤格納トレイ２０１と医療情報支援端末装置７を示す図
【図２６】トレイ識別タグ２０３を示す図
【図２７】医療業務支援システム１ａの処理フローチャート
【図２８】医療業務支援システム１ａの処理フローチャート
【図２９】トレイ識別タグ９−５の読取り表示画面
【図３０】トレイ識別タグ９−５の読取り表示画面
【図３１】オーダの表示画面
【図３２】薬剤識別タグ９−２の照合確認画面
【図３３】薬剤識別タグ９−２の照合ＮＧ画面
【図３４】薬剤取分確認作業完了画面
【図３５】ユーザ認識タグ９−３の照合確認画面
【図３６】ユーザ認識タグ９−３の照合ＮＧ画面
【符号の説明】
【０１３５】
１………医療業務支援システム
３………ネットワーク
５………医療業務支援サーバ
７………医療業務支援端末装置
９−１〜９−５………識別タグ
１１、２９………制御部
１５、３３………通信部
１７、３９………入力部
２１、４３………表示部
２３、４５………記憶部
２５、２５ａ………医療情報データベース
３５………識別タグ読取部
３７………通知部
４９………ユーザ認証手段
５１………時間取得手段
５３………識別タグ読取手段
５５………識別タグ種別判定手段
５７………患者情報
５９………薬剤情報
６１………ユーザ情報
６３………オーダ情報
１０１………スキャンボタン
１０３………アンテナ
１０５………ＬＥＤ
１０７………十字キー
１０９………「閉じる」ボタン
１１１………オーダ表示
１１３………「照合」ボタン
１１５………「連絡」ボタン
１１７………「ユーザ登録」ボタン
１１９………「ＯＫ」ボタン
１２０………「次へ」ボタン
２０１………薬剤格納トレイ
２０２………紙伝票
２０３………トレイ識別タグ
２０５………伝票コード情報
２０７………伝票コード
２０９………伝票名称
２１１………処理名
【図１】
2007141207.tif 000003
【図２】
2007141207.tif 000004
【図３】
2007141207.tif 000005
【図４】
2007141207.tif 000006
【図５】
2007141207.tif 000007
【図６】
2007141207.tif 000008
【図７】
2007141207.tif 000009
【図８】
2007141207.tif 000010
【図９】
2007141207.tif 000011
【図１０】
2007141207.tif 000012
【図１１】
2007141207.tif 000013
【図１２】
2007141207.tif 000014
【図１３】
2007141207.tif 000015
【図１４】
2007141207.tif 000016
【図１５】
2007141207.tif 000017
【図１６】
2007141207.tif 000018
【図１７】
2007141207.tif 000019
【図１８】
2007141207.tif 000020
【図１９】
2007141207.tif 000021
【図２０】
2007141207.tif 000022
【図２１】
2007141207.tif 000023
【図２２】
2007141207.tif 000024
【図２３】
2007141207.tif 000025
【図２４】
2007141207.tif 000026
【図２５】
2007141207.tif 000027
【図２６】
2007141207.tif 000028
【図２７】
2007141207.tif 000029
【図２８】
2007141207.tif 000030
【図２９】
2007141207.tif 000031
【図３０】
2007141207.tif 000032
【図３１】
2007141207.tif 000033
【図３２】
2007141207.tif 000034
【図３３】
2007141207.tif 000035
【図３４】
2007141207.tif 000036
【図３５】
2007141207.tif 000037
【図３６】
2007141207.tif 000038